(57)【特許請求の範囲】
【請求項１】
切換装置のためまたは内における切換器（１０）、特に、負荷時タップ切換器（１２）の負荷時切換開閉器（１１）のためまたは内における連続主切換器（１０）または遮断切換器（１０）であって、
この切換器が、
−  導通接点（１３）を備え；
−  一次固定接点（１４）を備え；
−  二次固定接点（１５）を備え；
−  一次可動接点（１６）を備え、
この一次可動接点が第１の当接点（２２）でもって前記導通接点（１３）に、および、第２の当接点（２３）でもって前記一次固定接点（１４）に当接する第１の終端位置を、および、この一次可動接点がこれら接点（１３、１４）から分離されている第２の終端位置を占め得、
−  二次可動接点（１７）を備え、
この二次可動接点が第３の当接点（２４）でもって前記導通接点（１３）に、および、第４の当接点（２５）でもって前記二次固定接点（１５）に当接する第１の終端位置を、および、この二次可動接点がこれら接点（１３、１５）から分離されている第２の終端位置を占め得、
−  前記第１の当接点（２２）が前記導通接点（１３）に当接する第１の相手側点は、前記第３の当接点（２４）が前記導通接点（１３）に当接する第２の相手側点に対して間隔をおいて設けられており；
−  旋回軸線（２１）が、これら相手側点の間で対称的に設けられており、
−  この一次可動接点が、前記導通接点（１３）および前記一次固定接点（１４）に対して相対的に、旋回軸線（２１）を中心として旋回可能であり、
−  この二次可動接点が、前記導通接点（１３）および前記二次固定接点（１５）に対して相対的に、前記旋回軸線（２１）を中心として旋回可能である、
ことを特徴とする切換器（１０）。
【請求項２】
−  前記導通接点（１３）はモノリシックであり；
−  前記一次固定接点（１４）がモノリシックであり；
−  前記二次固定接点（１５）がモノリシックであり；
−  前記一次可動接点（１６）がモノリシックであり；
−  前記二次可動接点（１７）がモノリシックである、
ことを特徴とする請求項１に記載の切換器（１０）。
【請求項３】
−  前記第１の終端位置において、前記第１の当接点（２２）および前記第２の当接点（２３）は、第１の接続直線（３３）の上に位置しており；
−  この第１の接続直線（３３）が、前記旋回軸線（２１）に対して、非平行、または、直角、または、ねじれの位置にある、
ことを特徴とする請求項１から２のいずれか一つに記載の切換器（１０）。
【請求項４】
−  前記第１の終端位置において、前記第１の当接点（２２）および前記第２の当接点（２３）は、第１の接続直線（３３）の上に位置しており、且つ、第１の接続区間（３４）を区画しており；
−  前記第１の接続直線（３３）と前記旋回軸線（２１）とが交差しており、且つ、前記第１の接続直線と前記旋回軸線との交点が、前記第１の接続区間（３４）の外側または内側に位置しているか、または、
前記第１の接続直線（３３）と前記旋回軸線（２１）とがねじれの位置にあり、且つ、前記第１の接続直線（３３）の垂点（３５）が、前記第１の接続区間（３４）の外側または内側に位置している、
ことを特徴とする請求項１から３のいずれか一つに記載の切換器（１０）。
【請求項５】
−  前記導通接点（１３）および前記旋回軸線（２１）は、前記一次固定接点（１４）と前記二次固定接点（１５）との間で、対称的に設けられている、
ことを特徴とする請求項１から４のいずれか一つに記載の切換器（１０）。
【請求項６】
−  少なくとも１つの付加的な一次可動接点（１６）を備え、
この一次可動接点が、前記導通接点（１３）および前記一次固定接点（１４）に対して相対的に、
この一次可動接点が前記導通接点（１３）および前記一次固定接点（１４）に当接する第１の終端位置を、および、この一次可動接点がこれら接点（１３、１４）から分離されている第２の終端位置を占めるように、
前記旋回軸線（２１）を中心として旋回可能であり；及び／または、
−  少なくとも１つの付加的な二次可動接点（１７）を備え、
この二次可動接点が、前記導通接点（１３）および前記二次固定接点（１５）に対して相対的に、
この二次可動接点が前記導通接点（１３）および前記二次固定接点（１５）に当接する第１の終端位置を、および、この二次可動接点がこれら接点（１３、１５）から分離されている第２の終端位置を占めるように、
前記旋回軸線（２１）を中心として旋回可能である、
ことを特徴とする請求項１から５のいずれか一つに記載の切換器（１０）。
【請求項７】
−  少なくとも１つの一次アーク接点（１８）を備え、
この一次アーク接点が、前記導通接点（１３）および前記一次固定接点（１４）に対して相対的に、
この一次アーク接点が第５の当接点（２６）でもって前記導通接点（１３）におよび第６の当接点（２７）でもって前記一次固定接点（１４）に当接する第１の終端位置を、および、この一次アーク接点がこれら接点（１３、１４）から分離されている第２の終端位置を占めるように、
前記旋回軸線（２１）を中心として旋回可能であり；
−  前記一次可動接点（１６）および前記一次アーク接点（１８）が、
これら一次アーク接点の内の少なくとも１つの前記一次アーク接点（１８）が、前記第１の終端位置を、前記一次可動接点（１６）の前に占め、且つ、これら一次可動接点（１６）の後に離脱するように、共に旋回され得る、
ことを特徴とする請求項１から６のいずれか一つに記載の切換器（１０）。
【請求項８】
−  正に１つの一次アーク接点（１８）および少なくとも２つの一次可動接点（１６）が設けられており；
−  前記一次可動接点（１６）および前記一次アーク接点（１８）が、積層状に、
前記一次アーク接点（１８）の一方の側での複数の前記一次可動接点（１６）の数が、前記一次アーク接点（１８）の反対の側での複数の前記一次可動接点（１６）の数よりも、多くても１つだけ多いように、設けられている、
ことを特徴とする請求項７に記載の切換器（１０）。
【請求項９】
−  正に２つの一次アーク接点（１８）および少なくとも１つの一次可動接点（１６）が設けられており；
−  前記一次可動接点（１６）および前記一次アーク接点（１８）が、前記一次可動接点（１６）がこれら一次アーク接点（１８）の間に設けられているように、積層状に設けられている、
ことを特徴とする請求項７または８に記載の切換器（１０）。
【請求項１０】
−  前記一次アーク接点（１８）および二次アーク接点（１９）は、前記第２の終端位置において、所属して設けられた前記一次可動接点（１６）および前記二次可動接点（１７）に対して相対的に、
前記アーク接点の当接点（２６、２７、２８、２９）が、前記一次可動接点（１６）および前記二次可動接点（１７）の前記第１の当接点（２２）、前記第２の当接点（２３）、前記第３の当接点（２４）、および前記第４の当接点（２５）に比して突出しているように、設けられている、ことを特徴とする請求項７から９のいずれか一つに記載の切換器（１０）。
【請求項１１】
−  接点担持体（２０）を備え、この接点担持体が、
・第１の担持板（２０１）と；
・第２の担持板（２０２）とを備え、この第２の担持板（２０２）が、前記旋回軸線（２１）を中心として旋回可能に支承され、且つ、この第１の担持板（２０１）に対して平行に設けられており；
−  前記一次可動接点（１６）および前記二次可動接点（１７）及び／または前記一次アーク接点（１８）および前記二次アーク接点（１９）が、これら第１の担持板（２０１）および第２の担持板（２０２）に装着されており、且つ、これら第１の担持板（２０１）および第２の担持板（２０２）の間に設けられている、
ことを特徴とする請求項１０に記載の切換器（１０）。
【請求項１２】
−  それぞれの前記一次可動接点（１６）および前記二次可動接点（１７）及び／またはそれぞれの前記一次アーク接点（１８）および前記二次アーク接点（１９）は、
それぞれの前記一次可動接点（１６）および前記二次可動接点（１７）及び／またはそれぞれのこれら一次アーク接点（１８）および二次アーク接点（１９）が、第１の終端位置において、ばね弾性的に、前記導通接点（１３）および所属して設けられた前記固定接点（１４、１５）に対して予負荷されているように、
前記接点担持体（２０）に装着されている、
ことを特徴とする請求項１１に記載の切換器（１０）。
【請求項１３】
−  前記旋回軸線（２１）は、前記切換器（１０）の駆動のための切換軸（３９）に対して平行に設けられている、
ことを特徴とする請求項１から１２のいずれか一つに記載の切換器（１０）。
【請求項１４】
−  前記旋回軸線（２１）は、前記切換軸（３９）よりも、前記第１および第２の相手側点に、より近接して位置している、
ことを特徴とする請求項１３に記載の切換器（１０）。
【請求項１５】
−  前記旋回軸線（２１）は、対称的に、前記切換軸（３９）と前記導通接点（１３）との間に設けられている、
ことを特徴とする請求項１３または１４に記載の切換器（１０）。
【請求項１６】
連続主切換器負荷時タップ切換器（１２）の負荷時切換開閉器（１１）のためまたは内における、連続主切換器（１０）としてまたは遮断切換器（１０）として、形成されていることを特徴とする請求項１から１５のいずれか一つに記載の切換器（１０）。
【請求項１７】
調整変圧器の負荷時タップ切換器（１２）のためまたは内における負荷時切換開閉器（１１）であって、この負荷時切換開閉器が、
−  請求項１から１６のいずれか一つにより形成されている連続主切換器（１０）、及び／または、請求項１から１６のいずれか一つにより形成されている遮断切換器（１０）を備え、
−  前記一次固定接点（１４）に結合されている一次主導線を備え；
−  前記二次固定接点（１５）に結合されている二次主導線を備えている、
ことを特徴とする負荷時切換開閉器（１１）。
【発明の詳細な説明】
【技術分野】
【０００１】
本発明は、調整変圧器の負荷時タップ切換器のための、負荷時切換開閉器、並びに、負荷時タップ切換器の負荷時切換開閉器のための、連続主切換器および遮断切換器、および、一般的な切換装置のための切換器に関する。
【背景技術】
【０００２】
特許文献１は、負荷時タップ切換器のための負荷時切換開閉器を記載している。
この公知の負荷時切換開閉器は、それぞれの切り換えられるべき相のために、導通接点、一次固定接点、二次固定接点、一次可動接点、二次可動接点を備えている。一次固定接点は、負荷時タップ切換器の第１の可動な選択接点または一次選択接点と導電的に結合されている。二次固定接点は、負荷時タップ切換器の第２の可動な選択接点または二次選択接点と導電的に結合されている。
それぞれの一次可動接点は、負荷時タップ切換器の中心の旋回軸線に対して直角に、この一次可動接点が、
この一次可動接点が導通接点およびそれぞれの一次固定接点に当接する第１の終端位置を、および、この一次可動接点がこれら接点から分離されている第２の終端位置を占めることが可能であるように、直線的に移動可能に支承されている。
それぞれの二次可動接点は、負荷時タップ切換器の中心の旋回軸線に対して直角に、この二次可動接点が、
この二次可動接点が導通接点およびそれぞれの二次固定接点に当接する第１の終端位置を、および、この二次可動接点がこれら接点から分離されている第２の終端位置を占めることが可能であるように、直線的に移動可能に支承されている。
この公知の負荷時切換開閉器は、それに加えて、二重レバー、固定式の軸、および、カムローラー、並びに、それぞれの可動接点のために、固定式のピン、および、可動の軸を備えている。二重レバーは、この二重レバーの中央において、回転可能に、固定式の軸に支承されており、それぞれの自由な端部において、可動な軸の内の１つの軸を担持し、且つ、一方の側で、可動な軸の内の１つの軸と固定式の軸との間に設けられているカムローラーを担持している。カムローラーは、負荷時タップ切換器のカムディスクのカム内において走行する。カムディスクは、回転不能に、負荷時タップ切換器の旋回軸線に装着されている。
それぞれの可動接点は、回転可能に、それぞれの可動の軸に支承されており、且つ、直線状の溝部を有しており、この溝部内において、それぞれのピンが、嵌入している。従って、旋回軸線の回転運動は、可動接点の直線的な運動に変換される。
【先行技術文献】
【特許文献】
【０００３】
【特許文献１】スイス連邦特許第４６７  ５１０  Ａ号明細書
【発明の概要】
【発明が解決しようとする課題】
【０００４】
この背景から、本発明は、独立請求項の対象を提案する。本発明の有利な更なる構成および実施形態は、従属請求項内において記載されている。
【課題を解決するための手段】
【０００５】
本発明は、第１の観点に従い、切換装置のためまたは内における切換器を提案しており、この切換器が、
−  １つの導通接点を備え；
−  １つの一次固定接点を備え；
−  １つの二次固定接点を備え；
−  １つの一次可動接点を備え、
この一次可動接点が第１の当接点でもって前記導通接点に、および、第２の当接点でもって前記一次固定接点に当接する第１の終端位置を、および、この一次可動接点がこれら接点から分離されている第２の終端位置を占め得、
−  二次可動接点を備え、
この二次可動接点が第３の当接点でもって前記導通接点に、および、第４の当接点でもって前記二次固定接点に当接する第１の終端位置を、および、この二次可動接点がこれら接点から分離されている第２の終端位置を占め得、
−  前記第１の当接点が前記導通接点に当接する第１の相手側点は、前記第３の当接点が前記導通接点に当接する第２の相手側点に対して間隔をおいて設けられており；
−  前記旋回軸線が、これら相手側点の間で対称的に設けられており、
−  この一次可動接点が、前記導通接点および前記一次固定接点に対して相対的に、旋回軸線を中心として旋回可能であり、
−  この二次可動接点が、前記導通接点および前記二次固定接点に対して相対的に、前記旋回軸線を中心として旋回可能である。
【発明の効果】
【０００６】
提案されている切換器において、可動接点が旋回可能であるので、可動接点の直線的な運動への切換軸の回転運動の変換のための、特許文献１の教示に従う、必要な伝動部材の内の少なくともいくつかの伝動部材は、設けられなくて良い。これに伴って、提案されている切換器は、極めて簡単に構成され得る。
【０００７】
本特許出願において、「ＡはＢと結合されている」の様式の表現は、「ＡはＢに結合されている」の様式の表現に相応し、「ＡはＢと結合されている」の様式の表現が、「ＡはＢと導電的に直接結合されている」、および、「ＡはＢと導電的に間接的に、即ち、Ｃを介して、結合されている」の意味を備えており、および、「ＡはＢに接続されている」の様式の表現が、「ＡはＢと導電的に直接結合されている」の意味を有している。
【０００８】
有利には、導通接点は、アース、大地電圧、スター中性点（Ｓｔｅｒｎｐｕｎｋｔ）、デルタ結線の角点（Ｅｃｋｐｕｎｋｔ  ｅｉｎｅｒ  Ｄｒｅｉｅｃｋｓｃｈａｌｔｕｎｇ）、または、導通部（Ａｂｌｅｉｔｕｎｇ）に、結合されているまたは結合される、および、特に、接続されているまたは接続される。この導通部それ自体は、例えば、アース、大地電圧、スター中性点、デルタ結線の角点に、結合されているまたは結合される、および、特に、接続されているまたは接続されることは可能である。
【０００９】
提案されている切換器は、それぞれの適宜の構造およびやり方に応じて、例えば、連続主切換器として、または、負荷時タップ切換器の負荷時切換開閉器のためまたは内における遮断切換器として形成されることは可能である。
【００１０】
負荷時切換開閉器の電流容量（Ｓｔｒｏｍｔｒａｇｆａｅｈｉｇｋｅｉｔ）を増大するために、連続主切換器は、負荷時切換開閉器内において、通常、負荷時切換開閉器の少なくとも１つの真空遮断器に対して並列に接続される。負荷時切換開閉器の電圧強度（Ｓｐａｎｎｕｎｇｓｆｅｓｔｉｇｋｅｉｔ）を増大するために、遮断切換器は、負荷時切換開閉器内において、通常、負荷時切換開閉器の少なくとも１つの真空遮断器に対して直列に接続される。
【００１１】
有利には、導通接点、固定接点、および、可動接点は、切換装置のフレームに装着されているまたは装着される。
このフレームは、一体的であることは可能であり、または、少なくとも２つの部分フレームを備えていることは可能である。切換器が、負荷時切換開閉器のためまたは内における連続主切換器または遮断切換器である場合、負荷時切換開閉器のフレームは、有利には、特に、油容器として形成されている、接点シリンダーを第１の部分フレームとして、および、負荷時タップ切換器のスタンドを第２の部分フレームとして備えており、この第２の部分フレームが第１のフレームと連結されている。
有利には、導通接点および固定接点は、第１の部分フレームに、装着されておりまたは装着され、および、特に、固定されておりまたは固定され、且つ、可動接点が、第２の部分フレームに、装着されているまたは装着される、および、特に、支承されているまたは支承される。
このスタンドは、通常、上方から接点シリンダー内へと装入され、且つ、上側の縁部領域において、この接点シリンダーに固定される。
【００１２】
有利には、一次固定接点は、切換装置の一次主導線に、および、二次固定接点が、この切換装置の二次主導線に、結合されているまたは結合される、および、特に、接続されているまたは接続される。
それぞれの主導線それ自体は、例えば、交流回路の１つの相に所属して設けられた、回路導線に、または、変圧器の一次側または二次側に、または、スター中性点、または、デルタ結線の角点に、結合されているまたは結合される、および、特に、接続されているまたは接続されることは可能である。
【００１３】
−  第１の当接点が導通接点に当接する第１の相手側点が、第３の当接点が導通接点に当接する第２の相手側点に対して間隔をおいて設けられており；
−  旋回軸線が、これら相手側点の間で対称的に設けられている、
ことは特徴とされ得る。
【００１４】
−  導通接点がモノリシック（ｍｏｎｏｌｉｔｈｉｓｃｈ）であり；
−  一次固定接点がモノリシックであり、且つ、特に、導通接点に対して相対的に、剛固にまたは不動にまたは位置固定式に設けられており；
−  二次固定接点がモノリシックであり、且つ、特に、導通接点に対して相対的に、剛固にまたは不動にまたは位置固定式に設けられており；
−  一次可動接点がモノリシックであり；
−  二次可動接点がモノリシックである、
ことは特徴とされ得る。
【００１５】
本特許出願において、概念「モノリシック」は、意味「一体式の」、または、「１つの部材または部片から成る」を有している。
【００１６】
その際、例えば、導通接点が切換装置の導通部に、一次固定接点が一次主導線に、および、二次固定接点が切換装置の二次次主導線に接続される場合、特に低損失な電流経路が達成され得る。
【００１７】
−  一次可動接点の第１の終端位置において、第１の当接点および第２の当接点が、第１の接続直線の上に位置しており；
−  この第１の接続直線が、旋回軸線に対して、非平行、または、直角、または、ねじれの位置にある（ｗｉｎｄｓｃｈｉｅｆ）、
ことは特徴とされ得る。
【００１８】
この特許出願において、「ＡはＢに対して直角である」の様式の表現は、「Ａは、Ｂを、９０°の角度でもって交差する」、および、「Ａは、Ｂに対してねじれの位置にあり、且つ、ＡとＢとの法平面は直角である」の意味を備えている。
【００１９】
例えば、旋回軸線が、垂直方向に延在する場合、第１の接続直線は、有利には、水平方向に延在し、且つ、この旋回軸線と交差し、または、この旋回軸線の傍らを通り過ぎる。
【００２０】
しかしながら、同様に、第１の接続直線が、旋回軸線に対して平行であることも可能である。
【００２１】
−  第１の終端位置において、第１の当接点および第２の当接点が、第１の接続直線の上に位置しており、且つ、第１の接続区間を区画しており；
−  第１の接続直線と旋回軸線とが交差しており、且つ、前記第１の接続直線と前記旋回軸線との交点が、第１の接続区間の外側または内側に位置しているか、または、
第１の接続直線と旋回軸線とがねじれの位置にあり、且つ、第１の接続直線の垂点が、第１の接続区間の外側または内側に位置している、
ことは特徴とされ得る。
【００２２】
提案されている切換器は、それぞれの適宜の構造およびやり方に応じて、例えば、負荷時タップ切換器の負荷時切換開閉器のためまたは内における連続主切換器として、または、負荷時タップ切換器の負荷時切換開閉器のためまたは内における遮断切換器として形成されることは可能であり、及び／または、例えば、少なくとも１つの付加的な導通接点、及び／または、少なくとも１つの付加的な一次固定接点、及び／または、少なくとも１つの付加的な一次可動接点、及び／または、少なくとも１つの付加的な二次固定接点、及び／または、少なくとも１つの付加的な二次可動接点を備えていることは可能である。
【００２３】
−  二次可動接点の第１の終端位置において、第３の当接点および第４の当接点が、第２の接続直線の上に位置しており；
−  この第２の接続直線が、旋回軸線に対して、非平行、または、直角、または、ねじれの位置にある、
ことは特徴とされ得る。
【００２４】
例えば、旋回軸線が、垂直方向に延在する場合、第２の接続直線は、有利には、水平方向に延在し、且つ、この旋回軸線と交差し、または、この旋回軸線の傍らを通り過ぎる。
【００２５】
しかしながら、同様に、第２の接続直線が、旋回軸線に対して平行であることも可能である。
【００２６】
−  第１の終端位置において、第３の当接点および第４の当接点が、第２の接続直線の上に位置しており、且つ、第２の接続区間を区画しており；
−  第２の接続直線と旋回軸線とが交差しており、且つ、前記第２の接続直線と前記旋回軸線との交点が、第２の接続区間の外側または内側に位置しているか、または、
第２の接続直線と旋回軸線とがねじれの位置にあり、且つ、第２の接続直線の垂点が、第２の接続区間の外側または内側に位置している、
ことは特徴とされ得る。
【００２７】
−  導通接点および旋回軸線が、固定接点の間で対称的に設けられている、
ことは特徴とされ得る。
【００２８】
提案されている切換器が、
−  少なくとも１つの付加的な一次可動接点を備え、
この一次可動接点が、導通接点および一次固定接点に対して相対的に、この一次可動接点が、
この一次可動接点が導通接点および一次固定接点に当接する第１の終端位置を、および、この一次可動接点がこれら接点から分離されている第２の終端位置を占めるように、
旋回軸線を中心として旋回可能に支承されており；及び／または、
−  少なくとも１つの付加的な二次可動接点を備え、
この二次可動接点が、導通接点および二次固定接点に対して相対的に、この二次可動接点が、
この二次可動接点が導通接点および二次固定接点に当接する第１の終端位置を、および、この二次可動接点がこれら接点から分離されている第２の終端位置を占めるように、
旋回軸線を中心として旋回可能に支承されている、
ことは特徴とされ得る。
【００２９】
付加的な可動接点でもって、切換器の電流容量または電流耐負荷能力（Ｓｔｒｏｍｂｅｌａｓｔｂａｒｋｅｉｔ）は、必要に応じて、ステップ状に、モジュールシステムまたはユニット（Ｂａｕｋａｓｔｅｎ）の様式に従い向上され得る。
【００３０】
−  可動接点が、互いに導電的に結合されている、
ことは特徴とされ得る。
【００３１】
しかしながら、同様に、可動接点が電気的に互いに分離されていることも可能である。
【００３２】
提案されている切換器が、
−  少なくとも１つの一次アーク接点を備え、
この一次アーク接点が、導通接点および一次固定接点に対して相対的に、この一次アーク接点が、
この一次アーク接点が第５の接点または接触点または当接点でもって導通接点におよび第６の接点または接触点または当接点でもって一次固定接点に当接する第１の終端位置を、および、この一次アーク接点がこれら接点から分離されている第２の終端位置を占めるように、
旋回軸線を中心として旋回可能に支承されており；
その際、
−  一次可動接点および一次アーク接点が、
これら一次アーク接点の内の少なくとも１つの一次アーク接点が、第１の終端位置を、一次可動接点の前に占め、且つ、これら一次可動接点の後に離脱するように、共に旋回され得る、
ことは特徴とされ得る。
【００３３】
有利には、同様に一次犠牲接点（Ｐｒｉｍａｅｒ−Ｏｐｆｅｒｋｏｎｔａｋｔ）とも称される、一次アーク接点は、
第５の当接点を含むまたは囲繞する、少なくとも１つの当接領域内において、及び／または、第６の当接点を含むまたは囲繞する、少なくとも１つの当接領域内において、
この一次アーク接点の残りの領域においてよりも、及び／または、一次可動接点の相応する当接領域よりも、より耐浸食性であり、且つ、より耐アーク放電性である。
このことは、例えば、一次アーク接点が、例えばタングステン銅（ＷＣｕ）合金である材料から成り、この材料が、例えば銅である、一次可動接点の材料との比較において、より高い融点を有している、ことによって達成される。有利には、一次アーク接点は、ただそれぞれの当接領域内においてだけ、この材料から成っており、且つ、この一次アーク接点の残りの領域内において、一次可動接点の材料から成っている。
【００３４】
有利には、一次アーク接点は、モノリシックである。
この一次アーク接点が、ただそれぞれの当接領域内においてだけ、より高い融点を有するこの材料から成っている場合、この一次アーク接点は、この一次アーク接点の残りの領域内において、および、それぞれの当接領域内において、それぞれにモノリシックであり、且つ、それぞれの当接領域が、この材料から成るブロック小片によって形成されており、この材料が、例えば、残りの領域に対して、はんだ付けされ、または、ねじ留めされている。
【００３５】
−  正に１つの一次アーク接点および少なくとも２つの一次可動接点が設けられており；−  一次可動接点および一次アーク接点が、積層状に、
一次アーク接点の一方の側での複数の一次可動接点の数が、一次アーク接点の反対の側での複数の一次可動接点の数よりも、多くても１つだけ多いように、設けられている、
ことは特徴とされ得る。
【００３６】
これに伴って、一次アーク接点は、一次可動接点から成る積層体の中央においてまたは可能な限り近傍に位置する。
【００３７】
−  正に２つの一次アーク接点および少なくとも１つの一次可動接点が設けられており；−  一次可動接点および一次アーク接点が、一次可動接点がこれら一次アーク接点の間に設けられているように、積層状に設けられている、
ことは特徴とされ得る。
【００３８】
提案されている切換器が、
−  少なくとも１つの二次犠牲接点または二次アーク接点を備え、
この二次犠牲接点または二次アーク接点が、導通接点および二次固定接点に対して相対的に、この二次犠牲接点または二次アーク接点が、
この二次犠牲接点または二次アーク接点が第７の接点または接触点または当接点でもって導通接点におよび第８の接点または接触点または当接点でもって二次固定接点に当接する第１の終端位置を、および、この二次犠牲接点または二次アーク接点がこれら接点から分離されている第２の終端位置を占めるように、
旋回軸線を中心として旋回可能に支承されており；
その際、
−  二次可動接点および二次アーク接点が、
これら二次アーク接点の内の少なくとも１つの二次アーク接点が、第１の終端位置を、二次可動接点の前に占め、且つ、これら二次可動接点の後に離脱するように、共に旋回され得る、
ことは特徴とされ得る。
【００３９】
一次アーク接点に対する実施形態は、類似して、同様に、二次アーク接点に適用され、この二次アーク接点が、同様に、二次犠牲接点（Ｓｅｋｕｎｄａｅｒ−Ｏｐｆｅｒｋｏｎｔａｋｔ）とも称される。
【００４０】
−  正に１つの二次アーク接点および少なくとも２つの二次可動接点が設けられており；−  二次可動接点および二次アーク接点が、積層状に、
二次アーク接点の一方の側での複数の二次可動接点の数が、二次アーク接点の反対の側での複数の二次可動接点の数よりも、多くても１つだけ多いように、設けられている、
ことは特徴とされ得る。
【００４１】
−  正に２つの二次アーク接点および少なくとも１つの二次可動接点が設けられており；−  二次可動接点および二次アーク接点が、二次可動接点がこれら二次アーク接点の間に設けられているように、積層状に設けられている、
ことは特徴とされ得る、
【００４２】
−  それぞれのアーク接点が、第２の終端位置において、所属して設けられた可動接点に対して相対的に、アーク接点の当接点が可動接点の当接点に比して突出しているように、設けられている、
ことは特徴とされ得る。
【００４３】
−  アーク接点が、可動接点と、導電的に結合されている、
ことは特徴とされ得る。
【００４４】
提案されている切換器が、
−  １つの接点担持体を備え、
この接点担持体に、可動接点及び／またはアーク接点が装着されており、および、この接点担持体が、導通接点および固定接点に対して相対的に、旋回軸線を中心として旋回可能に支承されている、
ことは特徴とされ得る。
【００４５】
−  接点担持体が、第１の担持板を備え、
この第１の担持板が、旋回軸線を中心として旋回可能であり、または、旋回可能に支承されており；
−  可動接点及び／またはアーク接点が、この第１の担持板に装着されている、および、特に支承されている、
ことは特徴とされ得る。
【００４６】
有利には、第１の担持板は、旋回軸線に対して直角に、及び／または、第１の接続直線に対して平行に延在している。
【００４７】
−  接点担持体が、第２の担持板を備え、
この第２の担持板が、旋回軸線を中心として旋回可能であり、または、旋回可能に支承されており；
−  可動接点及び／またはアーク接点が、この第２の担持板に装着されている、および、特に支承されている、
ことは特徴とされ得る。
【００４８】
有利には、第２の担持板は、第１の担持板に装着されており、且つ、特に固定されている。
【００４９】
有利には、第２の担持板は、旋回軸線に対して直角に、及び／または、第２の接続直線３３に対して平行に延在している。
【００５０】
−  これら担持板が平行であり；
−  可動接点及び／またはアーク接点が、これら担持板の間に設けられている、
ことは特徴とされ得る。
【００５１】
−  それぞれの可動接点及び／またはそれぞれのアーク接点は、
それぞれの可動接点及び／またはそれぞれのアーク接点が、第１の終端位置において、ばね弾性的に、導通接点および所属して設けられた固定接点に対して予負荷されているように、
接点担持体に装着されている、
ことは特徴とされ得る。
【００５２】
−  旋回軸線が、切換器の駆動のための切換軸に対して、平行に、且つ、特に間隔をおいて設けられており、この旋回軸線が、切換装置の一部である、
ことは特徴とされ得る。
【００５３】
−  旋回軸線が、切換軸よりも、第１および第２の相手側点に、より近接して位置しているか、または、第１および第２の相手側点からの旋回軸線の間隔が、切換軸からの旋回軸線の間隔よりも小さい、
ことは特徴とされ得る。
【００５４】
−  旋回軸線が、対称的に、切換軸と導通接点との間に設けられている、
ことは特徴とされ得る。
【００５５】
本発明は、第２の観点に従い、調整変圧器（Ｓｔｅｌｌｔｒａｎｓｆｏｒｍａｔｏｒｓ）の負荷時タップ切換器のためまたは内における負荷時切換開閉器を提案しており、この負荷時切換開閉器が、
−  第１または第３または第４の観点に従い形成されている連続主切換器、及び／または、第１または第３または第４の観点に従い形成されている、１つの遮断切換器を備え；
−  それぞれの一次固定接点に結合、および、特に、接続されている、１つの一次主導線を備え；
−  前記二次固定接点（１５）に結合、および、特に、接続されている、１つの二次主導線を備えている。
【００５６】
有利には、提案されている負荷時切換開閉器は、それぞれの導通接点に結合、および、特に、接続されている導通部を備えている。
有利には、この導通部は、アース、大地電圧、スター中性点、デルタ結線の角点、または、負荷時タップ切換器の共通の導通接続部に、結合されているまたは結合される、および、特に、接続されているまたは接続される。この導通接続部それ自体は、例えば、アース、大地電圧、スター中性点、デルタ結線の角点に、結合されているまたは結合される、および、特に、接続されているまたは接続されることは可能である。
【００５７】
有利には、一次主導線は、負荷時タップ切換器の一次選択接点に、及び／または、二次主導線が、負荷時タップ切換器の二次選択接点に、結合されているまたは結合される、および、特に、接続されているまたは接続される。
【００５８】
提案されている負荷時切換開閉器が、
−  連続主切換器を備え；
−  第１および第２の一次主接続部を有する、１つの一次主真空遮断器を備え；
−  第１および第２の二次主接続部を有する、１つの二次主真空遮断器を備えており；
その際、
−  第１の一次主接続部が、連続主切換器の一次固定接点と導電的に結合されており、及び／または、一次選択接点と導電的に結合され得；
−  第１の二次主接続部が、連続主切換器の二次固定接点と導電的に結合されており、及び／または、二次選択接点と導電的に結合され得；
−  第２の一次主接続部と第２の二次主接続部が、連続主切換器の導通接点と、及び／または導通部と、導電的に結合されており、及び／または、導通接続部と導電的に結合され得る、
ことは特徴とされ得る。
【００５９】
提案されている負荷時切換開閉器が、
−  遮断切換器を備え；
−  第１および第２の一次主接続部を有する、１つの一次主真空遮断器を備え；
−  第１および第２の二次主接続部を有する、１つの二次主真空遮断器を備えており；
その際、
−  第１の一次主接続部が、連続主切換器の一次固定接点と導電的に結合されており、及び／または、一次選択接点と導電的に結合され得；
−  第１の二次主接続部が、連続主切換器の二次固定接点と導電的に結合されており、及び／または、二次選択接点と導電的に結合され得；
−  遮断切換器の一次固定接点が、第２の一次主接続部と導電的に結合されており；
−  遮断切換器の二次固定接点が、第２の二次主接続部と導電的に結合されており；
−  遮断切換器の導通接点が、導電部と導電的に結合されており、及び／または、導通接続部と導電的に結合され得る、
ことは特徴とされ得る。
【００６０】
提案されている負荷時切換開閉器が、
−  連続主切換器を備え；
−  第１および第２の一次補助接続部を有する、１つの一次補助真空遮断器を備え；
−  第１および第２の二次補助接続部を有する、１つの二次補助真空遮断器を備えており；
その際、
−  第１の一次補助接続部が、連続主切換器の一次固定接点と、及び／または、第１の一次主接続部と、導電的に結合されており、及び／または、一次選択接点と導電的に結合され得；
−  第１の二次補助接続部が、連続主切換器の二次固定接点と、及び／または、第１の二次主接続部と、導電的に結合されており、及び／または、二次選択接点と導電的に結合され得；
−  第２の一次補助接続部が、第２の一次主接続部と導電的に結合されており；
−  第２の二次補助接続部が、第２の二次主接続部と導電的に結合されている、
ことは特徴とされ得る。
【００６１】
提案されている負荷時切換開閉器が、
−  遮断切換器を備え；
−  第１および第２の一次補助接続部を有する、１つの一次補助真空遮断器を備え；
−  第１および第２の二次補助接続部を有する、１つの二次補助真空遮断器を備えており；
その際、
−  第１の一次補助接続部が、連続主切換器の一次固定接点と、及び／または、第１の一次主接続部と、導電的に結合されており、及び／または、一次選択接点と導電的に結合され得；
−  第１の二次補助接続部が、連続主切換器の二次固定接点と、及び／または、第１の二次主接続部と、導電的に結合されており、及び／または、二次選択接点と導電的に結合され得；
−  遮断切換器の一次固定接点が、第２の一次補助接続部と導電的に結合されており；
−  遮断切換器の二次固定接点が、第２の二次補助接続部と導電的に結合されており；
−  遮断切換器の導通接点が、導電部と導電的に結合されており、及び／または、導通接続部と導電的に結合され得る、
ことは特徴とされ得る。
【００６２】
提案されている負荷時切換開閉器は、それぞれの適宜の構造およびやり方に応じて形成されることは可能であり、且つ、例えば、
少なくとも１つの付加的な連続主切換器、及び／または、少なくとも１つの付加的な遮断切換器、及び／または、少なくとも１つの付加的な導電部、及び／または、
少なくとも１つの付加的な一次主導線、及び／または、少なくとも１つの付加的な二次主導線、及び／または、
少なくとも１つの付加的な一次主真空遮断器、及び／または、少なくとも１つの付加的な二次主真空遮断器、及び／または、
少なくとも１つの付加的な一次遮断切換器、及び／または、少なくとも１つの付加的な二次遮断切換器、及び／または、
少なくとも１つの付加的な一次補助真空遮断器、及び／または、少なくとも１つの付加的な二次補助真空遮断器、
を備えていることは可能である。
【００６３】
本発明は、第３の観点に従い、切換装置のためまたは内における切換器を提案しており、この切換器が、
−  １つの導通接点を備え；
−  １つの固定接点を備え；
−  少なくとも２つの可動接点を備え、
これら可動接点によって、それぞれに、導通接点及び／または固定接点に対して相対的に、この可動接点が、
この可動接点が導通接点および固定接点と導電的に結合されている第１の終端位置を、および、この可動接点が固定接点及び／または導通接点から分離されている第２の終端位置を占めるように、可動であり；
−  １つのアーク接点を備え、
このアーク接点が、導通接点及び／または固定接点に対して相対的に、このアーク接点が、
このアーク接点が導通接点および固定接点と導電的に結合されている第１の終端位置を、および、この可動接点が固定接点及び／または導通接点から分離されている第２の終端位置を占めるように、可動であり；
その際、
−  可動接点とアーク接点とが、共に、このアーク接点が、第１の終端位置を、可動接点の前に占め、且つ、可動接点の後に離脱するように、
可動され得；
−  可動接点とアーク接点とが、積層状に、アーク接点の一方の側での複数の可動接点の数が、アーク接点の反対の側での複数の可動接点の数よりも、多くても１つだけ多いように、設けられている。
【００６４】
本発明は、第４の観点に従い、切換装置のためまたは内における切換器を提案しており、この切換器が、
−  １つの導通接点を備え；
−  １つの固定接点を備え；
−  少なくとも１つの可動接点を備え、
これら可動接点によって、それぞれに、導通接点及び／または固定接点に対して相対的に、この可動接点が、
この可動接点が導通接点および固定接点と導電的に結合されている第１の終端位置を、および、この可動接点が固定接点及び／または導通接点から分離されている第２の終端位置を占めるように、可動であり；
−  ２つのアーク接点を備え、
このアーク接点によって、それぞれに、導通接点及び／または固定接点に対して相対的に、このアーク接点が、
このアーク接点が導通接点および固定接点と導電的に結合されている第１の終端位置を、および、この可動接点が固定接点及び／または導通接点から分離されている第２の終端位置を占めるように、可動であり；
その際、
−  可動接点とアーク接点とが、共に、これらアーク接点内の１つのアーク接点が、第１の終端位置を、可動接点の前に占め、且つ、可動接点の後に離脱するように、
可動され得；
−  可動接点とアーク接点とが、積層状に、可動接点がこれらアーク接点の間に設けられているように、設けられている。
【００６５】
第３および第４の観点に従い提案されている切換器において、
−  それぞれの可動接点及び／またはそれぞれのアーク接点が、
第１の終端位置において、導通接点に当接し、且つ、第２の終端位置において、この導通接点から分離されている；及び／または、
−  それぞれの可動接点及び／またはそれぞれのアーク接点が、
第１の終端位置において、固定接点に当接し、且つ、第２の終端位置において、この固定接点から分離されている、
ことは特徴とされ得る。
【００６６】
有利には、第１の終端位置におけるこの導電的な結合は、それぞれの可動接点またはアーク接点が、相応する導通接点または固定接点に対して押圧することによって、改善され、且つ、保障される。
【００６７】
第３および第４の観点に従い提案されている切換器において、
−  それぞれの可動接点及び／またはそれぞれのアーク接点が、導通接点または固定接点と、導電的に、分離不能及び／または永続的に結合されていることは、
行われ得る。
【００６８】
有利には、この導電的な、分離不能及び／または永続的な結合は、滑り結合を介して、または、特に、１つの部材から成る、または、はんだ付けまたはねじ留めによってそれぞれの接点に固定されている可撓性の導線を用いて、製造される。
【００６９】
第３および第４の観点に従い提案されている切換器は、それぞれの適宜の構造およびやり方に応じて形成されることは可能であり、且つ、例えば、
少なくとも１つの付加的な導通接点、及び／または、少なくとも１つの付加的な固定接点、及び／または、少なくとも１つの付加的なアーク接点を備えていることは可能である。
【００７０】
有利には、第３および第４の観点に従い提案されている切換器は、第１の観点に従い提案されている切換器のように形成されている。
【００７１】
本発明のこれら観点の内の１つの観点に対する、特に、この観点の個々の特徴に対する、構成および説明は、相応して、同様に、類似して本発明の他の観点に適用される。
【００７２】
以下で、本発明の実施形態を、添付された図に基づいて詳細に説明する。
そこから読み取れる個別の特徴は、しかしながら、それら個別の実施形態に限定されるのではなく、むしろ、更に別の上記された個別の特徴と、及び／または、他の実施形態の個別の特徴とが結合されること、及び／または、組み合わせられることは可能である。
図内における詳細な事項は、単に説明的に解釈すべきであり、しかしながら限定的に解釈すべきでない。
請求の範囲内において記載された参照符号は、本発明の保護範囲を如何なる方法においても限定すべきでなく、むしろ、単に、図内において示された実施形態を参照するように指示しているだけにすぎない。
【図面の簡単な説明】
【００７３】
【図１】負荷時切換開閉器のための連続主切換器の、第１の実施形態の、透視図である。
【図２】図１の連続主切換器を備える、第１の作動位置における、負荷時切換開閉器の第１の実施形態、および、負荷時タップ切換器の第１の実施形態の平面図である。
【図３】第２の作動位置における、図２の負荷時切換開閉器の図である。
【図４】連続主切換器の第２の実施形態の、切断された部分図である。
【図５】負荷時切換開閉器の第２の実施形態、および、負荷時タップ切換器の第２の実施形態の図である。
【発明を実施するための形態】
【００７４】
図１、２および３内において、切換装置１１のための切換器１０の第１の実施形態が、概略的に図示されており、この切換器は、ここで、例示的に、負荷時タップ切換器１２の負荷時切換開閉器１１（図２から４）のための連続主切換器１０であり、しかしながら、同様に、負荷時切換開閉器１１のための遮断切換器であることは可能である。
【００７５】
この実施形態において、切換器１０は、１つの導通接点１３、１つの一次固定接点１４、１つの二次固定接点１５、１２個の一次可動接点１６、１２個の二次可動接点１７、１つの一次アーク接点１８、１つの二次アーク接点１９、および、１つの第１の担持板２０１と１つの第２の担持板２０２（図３内において図示されていない）と有する、１つの接点担持体２０を備えている。
【００７６】
それぞれの一次可動接点１６は、導通接点１３および一次固定接点１４に対して相対的に、旋回軸線２１を中心として、旋回可能に、この一次可動接点が、図２内において図示されている第１の終端位置を、および、図１、３内において図示されている第２の終端位置を占めるように支承されている。
この第１の終端位置において、この一次可動接点は、第１の当接点２２でもって、導通接点１３の第１の相手側点に、および、第２の当接点２３でもって、一次固定接点１４に当接しており、且つ、第２の終端位置において、この一次可動接点が、これら接点１３、１４から分離されている。それぞれの二次可動接点１７は、導通接点１３および二次固定接点１５に対して相対的に、旋回軸線２１を中心として、旋回可能に、この二次可動接点が、図１、３内において図示されている第１の終端位置を、および、図２内において図示されている第２の終端位置を占めるように支承されている。
この第１の終端位置において、この二次可動接点は、第３の当接点２４でもって、導通接点１３の第２の相手側点に、および、第４の当接点２５でもって、二次固定接点１５に当接しており、且つ、第２の終端位置において、この二次可動接点が、これら接点１３、１５から分離されている。第１の相手側点は、第２の相手側点に対して間隔をおいて設けられており、且つ、旋回軸線２１が、これら相手側点の間で対称的に設けられている。
【００７７】
一次アーク接点１８は、導通接点１３および一次固定接点１４に対して相対的に、旋回軸線２１を中心として、旋回可能に、この一次アーク接点が、
この一次アーク接点が第５の当接点２６でもって導通接点１３に、および、第６の当接点２７でもって一次固定接点１４に当接している、第１の終端位置を、および、この一次アーク接点が、これら接点１３、１４から分離されている、第２の終端位置を占めることが可能であるように、
支承されている。
二次アーク接点１９は、導通接点１３および二次固定接点１５に対して相対的に、旋回軸線２１を中心として、旋回可能に、この二次アーク接点が、
この二次アーク接点が第７の当接点２８でもって導通接点１３に、および、第８の当接点２９でもって二次固定接点１５に当接している、第１の終端位置を、および、この二次アーク接点が、これら接点１３、１５から分離されている、第２の終端位置を占めることが可能であるように、
支承されている。
第１の当接点２２は、第３の当接点２４に対して間隔をおいて設けられており、且つ、旋回軸線２１が、これら当接点２２、２４の間で対称的に設けられている。
【００７８】
一次可動接点１６と一次アーク接点１８とは、１つの一次接点積層体１６／１８へと、それぞれに６つの一次可動接点１６が、一次アーク接点１８の下および上に位置するように積層されている。
二次可動接点１７と二次アーク接点１９とは、１つの二次接点積層体１７／１９へと、それぞれに６つの二次可動接点１７が、二次アーク接点１９の下および上に位置するように積層されている。
可動接点１６、１７は、互いに同じ構造である。アーク接点１８、１９は、互いに同じ構造である。
【００７９】
接点担持体２０は、Ｙ字形に配置されたアーム３０１、３０２、３０３を有するレバー３０（図３）、および、フォーク３１を備えている。担持板２０１、２０２は、同じ構造で、且つ、平行に、且つ、面一の状態に、重なり合って設けられており、および、金属から成っている。レバー３０は、担持板２０１、２０２の間に設けられており、且つ、両方の側方のアーム３０１、３０２の自由な端部、および、中間のアーム３０３の中央部分を貫通する、３つのボルトでもって、これら担持板に固定されている。
フォーク３１は、アーム３０１、３０２の間のレバー３０に、中央のアーム３０３と反対側の側面で固定されており、且つ、長手孔を有しており、この長手孔が、中央のアーム３０３の延長において延在しており、且つ、この長手孔の外側の、レバー３０から遠い端部において開口している。
接点積層体１６／１８、１７／１９は、担持板２０１、２０２の間に設けられており、且つ、平行な長手孔を通ってこれら接点積層体１６／１８、１７／１９を貫通し且つ金属から成る２つの案内ボルト３２の２倍でもって、これら担持板に可動に装着されている。中央のアーム３０３の自由な端部は、旋回軸線２１を中心として旋回可能に支承されている。これに伴って、担持板２０１、２０２、および従って同様に接点担持体２０、フォーク３１、および、接点積層体１６／１８、１７／１９は、導通接点１３および固定接点１４、１５に対して相対的に、旋回軸線２１を中心として、旋回可能に支承されている。接点積層体１６／１８、１７／１９、および、接点担持体２０は、これに伴って、旋回軸線２１に関して、片側のレバーを形成している。
【００８０】
接点積層体１６／１８、１７／１９は、レバー３０に対して対称的に、中央のアーム３０３の両側に設けられており、且つ、これら接点積層体の、当接点から離れるように指向する背面でもって、圧縮ばね（図４）を介して、側方のアーム３０１、３０２に支持されている。このことによって、接点積層体１６／１８、１７／１９は、これら接点積層体が、それぞれに、これら接点積層体の第１の終端位置において、ばね弾性的に、導通接点１３および所属して設けられた固定接点１４、１５に対して予負荷されているように、接点担持体２０に装着されている。
【００８１】
それぞれのアーク接点１８；１９およびそれぞれに所属して設けられた可動接点１６；１７は、
それぞれのアーク接点１８；１９が、第１の終端位置を、このアーク接点の可動接点１６；１７の前に占め、且つ、これら可動接点の後に離脱するように、
形成されておりおよび設けられており、且つ、共に旋回され得る。
この目的のために、それぞれのアーク接点１８；１９は、第２の終端位置において、このアーク接点の可動接点１６；１７に対して相対的に、
このアーク接点の当接点２６、２７；２８、２９が、可動接点１６；１７の当接点２２、２３；２４、２５に対して突出しているように、
設けられている。
【００８２】
導通接点１３、固定接点１４、１５、および、可動接点１６、１７は、銅から成っている。
この実施形態において、一次アーク接点１８は、第５の当接点２６を含むまたは囲繞する第１の当接領域内において、および、第６の当接点２７を含むまたは囲繞する第２の当接領域内において、タングステン銅（ＷＣｕ）合金から成り、および、それの他の部分では、銅から成っている。従って、この一次アーク接点は、これら当接領域において、この一次アーク接点の残りの領域においてよりも、および、一次可動接点１６の相応する当接領域よりも、より耐浸食性であり、且つ、より耐アーク放電性である。
この実施形態において、二次アーク接点１９は、第７の当接点２８を含むまたは囲繞する第３の当接領域内において、および、第８の当接点２９を含むまたは囲繞する第４の当接領域内において、タングステン銅（ＷＣｕ）合金から成り、および、それの他の部分では、銅から成っている。従って、この二次アーク接点は、これら当接領域において、この二次アーク接点の残りの領域においてよりも、および、二次可動接点１７の相応する当接領域よりも、より耐浸食性であり、且つ、より耐アーク放電性である。
【００８３】
接点１３、１４、１５、１６、１７、１８、１９は、それぞれに、モノリシックである。導通接点１３と旋回軸線２１とは、固定接点１４、１５の間で対称的に設けられている。
【００８４】
それぞれの一次固定接点１４において、第１の終端位置で、第１および第２の当接点２２、２３は、旋回軸線２１に対して直角であり且つねじれの位置にある第１の接続直線３３の上に位置しており、且つ、第１の接続区間３４を区画している。第１の接続直線３３の垂点３５、即ち、この第１の接続直線３３の上に位置する、旋回軸線２１と第１の接続直線３３との間の垂線の端点は、第１の接続区間３４の内側または外側に位置する。
それぞれの二次固定接点１５において、第１の終端位置で、第３および第４の当接点２４、２５は、旋回軸線２１に対して直角であり且つねじれの位置にある第２の接続直線３６の上に位置しており、且つ、第２の接続区間３７を区画している。第２の接続直線３６の垂点３８、即ち、この第２の接続直線３６の上に位置する、旋回軸線２１と第２の接続直線３６との間の垂線の端点は、第２の接続区間３７の内側または外側に位置する。
【００８５】
図２および３内において、それに加えて、負荷時切換開閉器１１の第１の実施形態、および、負荷時タップ切換器１２の第１の実施形態が、概略的に図示されている。
【００８６】
この実施形態において、負荷時タップ切換器１２は、負荷時切換開閉器１１、連続主切換器１０の駆動のための切換軸３９、および、接点シリンダー４０を備えており、この接点シリンダーを通って切換軸３９が同軸に延在する。
導通接点１３、および、固定接点１４、１５は、接点シリンダー４０を通って案内されており、且つ、この接点シリンダーに固定されている。旋回軸線２１は、切換軸３９に対して平行に、対称的に、この切換軸３９と導通接点１３との間に設けられており、且つ、切換軸３９よりも、第１および第２の相手側点に、より近接して位置している。
切換軸３９、旋回軸線２１、および、相手側点の間の中央は、１つの直線上に位置している。
【００８７】
この実施形態において、負荷時切換開閉器１１は、詳細には図示されていないスタンドの、（図３、５内において図示されていない）基礎板４１、および、三角形の駆動機構４２、および、連行ローラー４３を備えている。切換軸３９、および、レバー３０は、回転可能に、基礎板４１に支承されている。駆動機構４２は、回転不能に、切換軸３９に装着されており、且つ、角部において連行ローラー４３を担持している。
連行ローラー４３は、位置移動可能に、フォーク３１の長手孔内に嵌入しており、従って、切換軸３９の回転が、駆動機構４２、連行ローラー４３およびフォーク３１を介して、レバー３０を、逆方向に、旋回軸線２１を中心として旋回し、且つ、この旋回運動が、３つのボルト、担持板２０１、２０２、および、４つの案内ボルト３２を介して、接点積層体１６／１８、１７／１９に伝達される。
【００８８】
図２内において、負荷時切換開閉器１１は、第１の作動位置において示されており、この第１の作動位置において、連行ローラー４３が、フォーク３１の長手孔の外方の端部において嵌入しており、且つ、一次接点積層体１６／１８が、この一次接点積層体の第１の終端位置を、および、二次接点積層体１７／１９が、この二次接点積層体の第２の終端位置を占めている。
連行ローラー４３は、一次固定接点１４に近い孔壁に対して押圧し、且つ、これに伴って、一次接点積層体１６／１８を、これら一次接点積層体に所属して設けられた２つの案内ボルト３２を介して、導通接点１３および一次固定接点１４に対して押圧する。
導通接点１３および二次固定接点１５から分離された二次接点積層体１７／１９は、これら二次接点積層体に所属して設けられた圧縮ばねによって、これら二次接点積層体に所属して設けられた案内ボルト３２に対して押圧される。これに伴って、可動接点１６、１７は、互いに、且つ、アーク接点１８、１９と、導電的に結合されている。
【００８９】
図３内において、負荷時切換開閉器１１は、第２の作動位置において示されており、この第２の作動位置において、連行ローラー４３が、−第１の作動位置においてのように−フォーク３１の長手孔の外方の端部において嵌入しており、且つ、二次接点積層体１７／１９が、この二次接点積層体の第１の終端位置を、および、一次接点積層体１６／１８が、この一次接点積層体の第２の終端位置を占めている。
連行ローラー４３は、−第１の作動位置においてとは異なって−二次固定接点１５に近い孔壁に対して押圧し、且つ、これに伴って、二次接点積層体１７／１９を、これら二次接点積層体に所属して設けられた２つの案内ボルト３２を介して、導通接点１３および二次固定接点に対して押圧する。
導通接点１３および一次固定接点１４から分離された一次接点積層体１６／１８は、これら一次接点積層体に所属して設けられた圧縮ばね（図４）によって、これら一次接点積層体に所属して設けられた案内ボルト３２に対して押圧される。これに伴って、可動接点１６、１７は、互いに、且つ、アーク接点１８、１９と、導電的に結合されている。
【００９０】
負荷時切換開閉器１１が、反時計方向における切換軸３９の回転によって、第１の作動位置から第２の作動位置に可動された場合、第２の当接点２３と第６の当接点２７とは、導通接点１３の第５の当接点２６よりも迅速に、一次固定接点１４から解離する。何故ならば、これら第２の当接点と第６の当接点とが、旋回軸線２１から、第５の当接点２６よりも半径方向により離れているからである。
他方で、負荷時切換開閉器１１が、時計方向における切換軸３９の回転によって、第２の作動位置から第１の作動位置に可動された場合、第４の当接点２５と第８の当接点２９とは、導通接点１３の第７の当接点２８よりも迅速に、二次固定接点１５から解離することは、類似して言える。何故ならば、これら、第４の当接点と第８の当接点とが、旋回軸線２１から、第７の当接点２８よりも半径方向により離れているからである。
従って、アーク放電が、特に、第６および第８の当接点２７、２９において、並びに、これら第６および第８の当接点を囲繞するそれぞれの第２および第４の当接点において形成し、従って、選択的な実施形態において、第１および第３の当接点における銅タングステン合金、及び／または、第５および第７の当接点における突出を設けなくて良いことは可能である。
【００９１】
図４内において、連続主切換器１０の第２の実施形態が、部分断面図において、概略的に図示されている。
この連続主切換器１０は、しかしながら、同様に、例えば、負荷時切換開閉器１１のための遮断切換器を形成することも可能である。この第２の実施形態は、第１の実施形態に類似しており、従って、以下で、特に、相違を詳細に説明する。
【００９２】
この実施形態において、連続主切換器１０は、一次接点積層体１６／１８内において、２つの一次アーク接点１８、および、４つの一次可動接点１６を備えており、これら一次アーク接点および一次可動接点が、積層状に、これら一次可動接点１６がこれら一次アーク接点１８の間に設けられているように設けられている。
この図は、左側に、第２の終端位置の到達直前または離脱直後の、一次接点積層体１６／１８を、および、右側に、第２の終端位置において示している。それに加えて、圧縮ばね４４が、一次接点積層体１６／１８の背面、もしくは、一次可動接点１６および一次アーク接点１８背面と、側方のアーム３０１との間に図示されている。二次接点積層体１７／１９は、類似して構成されているが、しかしながら、図４内において図示されていない。
【００９３】
図５内において、負荷時切換開閉器１１の第２の実施形態、および、負荷時タップ切換器１２の第２の実施形態が、概略的に図示されている。この第２の実施形態は、第１の実施形態に類似しており、従って、以下で、特に、相違を詳細に説明する。
【００９４】
この実施形態において、負荷時切換開閉器１１、および、負荷時タップ切換器１２は、三相に形成されている。
負荷時切換開閉器１１は、三相交流回路のそれぞれの相、Ｕ、Ｖ，Ｗのために、それぞれに、駆動機構４２の角部に設けられている連行ローラー４３Ｕ、４３Ｖ，４３Ｗを、および、それぞれに、連続主切換器１０Ｕ、１０Ｖ，１０Ｗを備えている。３つの連行ローラー４３、および、３つの連続主切換器１０は、１２０°だけ切換軸３９の周囲に位置ずれされて設けられており、且つ、切換軸３９の回転によって、同期的に操作される。
【符号の説明】
【００９５】
１０  切換器、連続主切換器、遮断切換器
１１  切換装置、負荷時切換開閉器
１２  負荷時タップ切換器
１３  導通接点
１４  一次固定接点
１５  二次固定接点
１６  一次可動接点
１７  二次可動接点
１８  一次アーク接点
１９  二次アーク接点
２０  接点担持体
２０１／２０２  接点担持体２０の第１／第２の担持板
２１  旋回軸線
２２  第１の当接点
２３  第２の当接点
２４  第３の当接点
２５  第４の当接点
２６  第５の当接点
２７  第６の当接点
２８  第７の当接点
２９  第８の当接点
３０  レバー
３０１／３０２／３０３  レバー３０の第１の側方のアーム／第２の側方のアーム／中央のアーム
３１  フォーク
３２  案内ボルト
３３  第１の接続直線
３４  第１の接続区間
３５  第１の垂点
３６  第２の接続直線
３７  第２の接続区間
３８  第２の垂点
３９  切換軸
４０  接点シリンダー
４１  基礎板
４２  駆動機構
４３  連行ローラー
４４  圧縮ばね
Ｕ、Ｖ、Ｗ  三相交流回路の相
【図１】
0006771024.tif 000002
【図２】
0006771024.tif 000003
【図３】
0006771024.tif 000004
【図４】
0006771024.tif 000005
【図５】
0006771024.tif 000006